(57)【要約】【課題】改質器に供給される原燃料と水蒸気との比を精度良く制御することができる水素含有ガス生成装置を提供する。【解決手段】水素含有ガスの生成量を増加させるために改質器２への原燃料の供給量と水蒸気発生器６への水の供給量とを共に増加変化させるとき、改質器２への原燃料の供給量を増加変化させる時点よりも前に水蒸気発生器６への水の供給量を増加変化させる水素含有ガス生成装置であって、水蒸気発生器６から改質器２に供給される水蒸気の量を推定可能な圧力値を検出する圧力検出器１２を備え、改質制御手段１３ａは、改質器２での水素含有ガスの生成量を増加させるとき、水蒸気発生器６への水の供給量を増加変化させた後の圧力検出器１２の検出結果に基づいて、改質器２への原燃料の供給量を増加変化させるタイミングを決定する。【選択図】図１
2014047083.tif 000002
【特許請求の範囲】
【請求項１】
炭化水素を含む原燃料を水蒸気の存在下で改質処理して水素含有ガスを生成する改質器と、
供給される水を蒸発させて、前記改質器に水蒸気を供給する水蒸気発生器と、
前記改質器への原燃料の供給量と前記水蒸気発生器への水の供給量とを制御する改質制御手段とを備え、
前記改質制御手段は、前記改質器での水素含有ガスの生成量を増加させるために前記改質器への原燃料の供給量と前記水蒸気発生器への水の供給量とを共に増加変化させるとき、前記改質器への原燃料の供給量を増加変化させる時点よりも前に前記水蒸気発生器への水の供給量を増加変化させるように構成されている水素含有ガス生成装置であって、
前記水蒸気発生器から前記改質器に供給される水蒸気の量を推定可能な圧力値を、前記水蒸気発生器に供給される水又は前記水蒸気発生器で発生された水蒸気が流通する流路内で検出する圧力検出器を備え、
前記改質制御手段は、前記改質器での水素含有ガスの生成量を増加させるとき、前記水蒸気発生器への水の供給量を増加変化させた後の前記圧力検出器の検出結果に基づいて、前記改質器への原燃料の供給量を増加変化させるタイミングを決定するように構成されている水素含有ガス生成装置。
【請求項２】
前記水蒸気発生器と前記改質器との間の流路途中に設けられて、水蒸気の流量を制限する流量制限手段を備え、
前記圧力検出器は、前記流量制限手段よりも上流側の、前記水蒸気発生器に供給される水又は前記水蒸気発生器で発生された水蒸気が流通する流路内の圧力を検出する請求項１に記載の水素含有ガス生成装置。
【請求項３】
前記改質制御手段は、前記改質器での水素含有ガスの生成量を目標生成量へと増加させるために、前記改質器への原燃料の供給量を目標原燃料量へと増加変化させ、前記水蒸気発生器への水の供給量を目標水量へと増加変化させるとき、
前記水蒸気発生器への水の供給量を増加させた後の前記圧力検出器の検出値が、前記目標水量に対応した目標圧力値になると、前記改質器への原燃料の供給量を前記目標原燃料量へと増加変化させるタイミングであると決定するように構成されている請求項１又は２に記載の水素含有ガス生成装置。
【請求項４】
前記圧力検出器が圧力値を検出する部位での温度を検出する温度検出器を備え、
前記改質制御手段は、前記温度検出器の検出結果に基づいて、前記圧力検出器の検出結果を補正換算する請求項１〜３の何れか一項に記載の水素含有ガス生成装置。
【請求項５】
炭化水素を含む原燃料を水蒸気の存在下で改質処理して水素含有ガスを生成する改質器と、供給される水を蒸発させて、前記改質器に水蒸気を供給する水蒸気発生器とを備える水素含有ガス生成装置において、前記改質器への原燃料の供給量と前記水蒸気発生器への水の供給量とを共に制御することで前記改質器での水素含有ガスの生成量を調節する水素含有ガス生成量調節方法であって、
前記改質器での水素含有ガスの生成量を増加させるために前記改質器への原燃料の供給量と前記水蒸気発生器への水の供給量とを共に増加変化させるとき、前記改質器への原燃料の供給量を増加変化させる時点よりも前に前記水蒸気発生器への水の供給量を増加変化させ、前記水蒸気発生器への水の供給量を増加変化させた後の、前記水蒸気発生器に供給される水又は前記水蒸気発生器で発生された水蒸気が流通する流路内での圧力値に基づいて、前記改質器への原燃料の供給量を増加変化させるタイミングを決定する水素含有ガス生成量調節方法。
【発明の詳細な説明】
【技術分野】
【０００１】
本発明は、炭化水素を含む原燃料を水蒸気の存在下で改質処理して水素含有ガスを生成する改質器と、供給される水を蒸発させて、改質器に水蒸気を供給する水蒸気発生器と、改質器への原燃料の供給量と水蒸気発生器への水の供給量とを制御する改質制御手段とを備える水素含有ガス生成装置、及び、その水素含有ガス生成装置において行われる水素含有ガス生成量調節方法に関する。
【背景技術】
【０００２】
燃料電池の燃料ガスとして用いられる水素を生成するための装置として、炭化水素を含む原燃料を水蒸気の存在下で改質処理して水素を主に含む水素含有ガスを生成する改質器と、供給される水を蒸発させて、改質器に水蒸気を供給する水蒸気発生器と、改質器への原燃料の供給量と水蒸気発生器への水の供給量とを制御する改質制御手段とを備える水素含有ガス生成装置がある。
【０００３】
水素含有ガス生成装置において原燃料の水蒸気改質を行なう場合、改質器が有する改質触媒におけるカーボン析出の防止や、改質器の下流側に設けられる一酸化炭素変成器の出口ガス中のＣＯ濃度を一定値以下に収めるため、改質器に供給される原燃料中のカーボンに対する水蒸気の当量比（以下、「Ｓ／Ｃ」と記載することもある）を一定以上の大きさに制御する必要がある。但し、必要以上に水蒸気を供給した場合、水蒸気を発生させるのに要する熱量の元となる燃料を余分に消費し、エネルギー効率が低下するため、Ｓ／Ｃは一定範囲内での制御が必要となる。
【０００４】
燃料電池の起動時や電力負荷上昇時、水素含有ガス生成装置から燃料電池へ供給する水素を増加させるためには、改質器へ供給する原燃料を増加させる必要がある。このとき、改質器へ供給する原燃料量を増加させるだけでなく、上述したＳ／Ｃを維持するために水蒸気発生器へ供給する水の量を増加させて水蒸気発生量を増加させ、その結果として改質器へ供給する水蒸気量も増加させる必要がある。但し、改質器に対して目標水蒸気量を供給するために水蒸気発生器に対して目標水量の水を供給しても、その目標水量の水の全てが蒸発するまでに時間を要する場合、実際には目標水蒸気量よりも少ない量の水蒸気しか改質器に供給できていないこともある。そのため、従来は、改質器へ供給する水蒸気量が所要量に到達するまで時間を要することを考慮して、負荷上昇時においてはあらかじめ定めた時限をもって負荷上昇前に改質水の先行増量を行なっている。
【０００５】
例えば、特許文献１に記載の水素含有ガス生成装置は、改質器での水素含有ガスの生成量を増加させるために改質器への原燃料の供給量と水蒸気発生器への水の供給量とを共に増加変化させるとき、改質器への原燃料の供給量を増加変化させる時点よりも前に水蒸気発生器への水の供給量を増加変化させるように構成されている。
【先行技術文献】
【特許文献】
【０００６】
【特許文献１】特開２００３−２１２５０５号公報
【発明の概要】
【発明が解決しようとする課題】
【０００７】
しかしながら、供給された水を蒸発させるのに十分な熱を水蒸気発生器で供給できていないと、水が所要量蒸発するまでの時間は一定でない。つまり、改質器への原燃料の供給量を増加変化させる時点よりも一定時限前に水蒸気発生器への水の供給量を増加変化させたとしても、原燃料の供給量を増加変化させる時点で水が所要量蒸発しているとは限らず、Ｓ／Ｃについては誤差が生じることがある。
つまり、改質器に対して目標水蒸気量を供給するために水蒸気発生器に対して目標水量を供給しても、その目標水量の全てが蒸発するとは限らず、実際には目標水蒸気量よりも少ない量の水蒸気しか改質器に供給できていないこともある。その場合、Ｓ／Ｃが適切な範囲とならないため、上述したように改質器においてコーキングの発生や、水蒸気不足によって、改質処理により得られる水素ガス中のＣＯの濃度が上昇するなどの問題が発生し得る。
【０００８】
本発明は、上記の課題に鑑みてなされたものであり、その目的は、改質器での水蒸気不足の発生を回避可能な水素含有ガス生成装置、及び、その水素含有ガス生成装置において行われる水素含有ガス生成量調節方法を提供する点にある。
【課題を解決するための手段】
【０００９】
上記目的を達成するための本発明に係る水素含有ガス生成装置の特徴構成は、炭化水素を含む原燃料を水蒸気の存在下で改質処理して水素含有ガスを生成する改質器と、
供給される水を蒸発させて、前記改質器に水蒸気を供給する水蒸気発生器と、
前記改質器への原燃料の供給量と前記水蒸気発生器への水の供給量とを制御する改質制御手段とを備え、
前記改質制御手段は、前記改質器での水素含有ガスの生成量を増加させるために前記改質器への原燃料の供給量と前記水蒸気発生器への水の供給量とを共に増加変化させるとき、前記改質器への原燃料の供給量を増加変化させる時点よりも前に前記水蒸気発生器への水の供給量を増加変化させるように構成されている水素含有ガス生成装置であって、
前記水蒸気発生器から前記改質器に供給される水蒸気の量を推定可能な圧力値を、前記水蒸気発生器に供給される水又は前記水蒸気発生器で発生された水蒸気が流通する流路内で検出する圧力検出器を備え、
前記改質制御手段は、前記改質器での水素含有ガスの生成量を増加させるとき、前記水蒸気発生器への水の供給量を増加変化させた後の前記圧力検出器の検出結果に基づいて、前記改質器への原燃料の供給量を増加変化させるタイミングを決定するように構成されている点にある。
【００１０】
上記特徴構成によれば、圧力検出器が、水蒸気発生器から改質器に供給される水蒸気の量を推定可能な圧力値を、水蒸気発生器に供給される水又は水蒸気発生器で発生された水蒸気が流通する流路内で検出する。つまり、改質制御手段は、圧力検出器が検出する圧力値に基づいて、水蒸気発生器から改質器に供給される水蒸気の量を高い精度で知ることができる。その結果、改質制御手段は、改質器に供給される原燃料の量と水蒸気の量とが適切な当量比（Ｓ／Ｃ）となるように制御できる。
従って、改質器での水蒸気不足の発生を回避可能な水素含有ガス生成装置を提供できる。
【００１１】
本発明に係る水素含有ガス生成装置の別の特徴構成は、前記水蒸気発生器と前記改質器との間の流路途中に設けられて、水蒸気の流量を制限する流量制限手段を備え、
前記圧力検出器は、前記流量制限手段よりも上流側の、前記水蒸気発生器に供給される水又は前記水蒸気発生器で発生された水蒸気が流通する流路内の圧力を検出する点にある。
【００１２】
上記特徴構成によれば、水蒸気発生器から改質器へ流れる水蒸気の流量を流量制限手段によって制限することで、流量制限手段よりも上流側の空間での圧力が、流量制限手段よりも上流側の水蒸気発生器で発生した水蒸気による圧力をより良く代表することとなる。その結果、改質制御手段は、圧力検出器が検出する圧力値に基づいて、水蒸気発生器から改質器に供給される水蒸気の量を更に高い精度で知ることができる。
【００１３】
本発明に係る水素含有ガス生成装置の更に別の特徴構成は、前記改質制御手段は、前記改質器での水素含有ガスの生成量を目標生成量へと増加させるために、前記改質器への原燃料の供給量を目標原燃料量へと増加変化させ、前記水蒸気発生器への水の供給量を目標水量へと増加変化させるとき、
前記水蒸気発生器への水の供給量を増加させた後の前記圧力検出器の検出値が、前記目標水量に対応した目標圧力値になると、前記改質器への原燃料の供給量を前記目標原燃料量へと増加変化させるタイミングであると決定するように構成されている点にある。
【００１４】
上記特徴構成によれば、水蒸気発生器に対して目標水量の水を供給したとき、その水の蒸発量が不十分であれば圧力検出器で検出される圧力値は目標圧力値に満たないが、その水の蒸発量が十分であれば圧力検出器で検出される圧力値は目標圧力値になる。つまり、圧力検出器の検出値に基づいて、水蒸気発生器に供給した目標水量に対応した水蒸気量の水蒸気が改質器へ供給されることを知ることができる。その結果、改質制御手段は、改質器に供給される原燃料の量と水蒸気の量とが適切な当量比（Ｓ／Ｃ）となるように制御できる。
【００１５】
本発明に係る水素含有ガス生成装置の更に別の特徴構成は、前記圧力検出器が圧力値を検出する部位での温度を検出する温度検出器を備え、
前記改質制御手段は、前記温度検出器の検出結果に基づいて、前記圧力検出器の検出結果を補正換算する点にある。
【００１６】
上記特徴構成によれば、温度検出器での検出結果に基づいて圧力検出器の検出結果を補正換算することで、水蒸気発生器から改質器に供給される水蒸気の量を高い精度で知ることができる。
【００１７】
上記目的を達成するための本発明に係る水素含有ガス生成量調節方法の特徴構成は、炭化水素を含む原燃料を水蒸気の存在下で改質処理して水素含有ガスを生成する改質器と、供給される水を蒸発させて、前記改質器に水蒸気を供給する水蒸気発生器とを備える水素含有ガス生成装置において、前記改質器への原燃料の供給量と前記水蒸気発生器への水の供給量とを共に制御することで前記改質器での水素含有ガスの生成量を調節する水素含有ガス生成量調節方法であって、
前記改質器での水素含有ガスの生成量を増加させるために前記改質器への原燃料の供給量と前記水蒸気発生器への水の供給量とを共に増加変化させるとき、前記改質器への原燃料の供給量を増加変化させる時点よりも前に前記水蒸気発生器への水の供給量を増加変化させ、前記水蒸気発生器への水の供給量を増加変化させた後の、前記水蒸気発生器に供給される水又は前記水蒸気発生器で発生された水蒸気が流通する流路内での圧力値に基づいて、前記改質器への原燃料の供給量を増加変化させるタイミングを決定する点にある。
【００１８】
上記特徴構成によれば、改質器での水素含有ガスの生成量を増加させるために改質器への原燃料の供給量と水蒸気発生器への水の供給量とを共に増加変化させるとき、改質器への原燃料の供給量を増加変化させる時点よりも前に水蒸気発生器への水の供給量を増加変化させる。そして、水蒸気発生器への水の供給量を増加変化させた後の、水蒸気発生器に供給される水又は水蒸気発生器で発生された水蒸気が流通する流路内での圧力値に基づいて、改質器への原燃料の供給量を増加変化させるタイミングを決定する。つまり、水蒸気発生器から改質器に供給される水蒸気の量を推定可能な圧力値を、水蒸気発生器に供給される水又は水蒸気発生器で発生された水蒸気が流通する流路内で検出することで、水蒸気発生器から改質器に供給される水蒸気の量を高い精度で知ることができる。その結果、改質器に供給される原燃料の量と水蒸気の量とが適切な当量比（Ｓ／Ｃ）となるように制御できる。
【図面の簡単な説明】
【００１９】
【図１】燃料電池システムの構成を示す図である。
【図２】各機器の動作状態の推移を説明するタイミング図である。
【図３】目標水量と目標圧力値との関係を示すグラフである。
【発明を実施するための形態】
【００２０】
以下に図面を参照して本発明に係る水素含有ガス生成装置について説明する。
図１は、水素含有ガス生成装置を含む燃料電池システムの構成を示す図である。図示するように、燃料電池システムは、水素含有ガス生成装置を用いて生成した、水素を主成分とする燃料ガスを燃料電池ＦＣに供給して、燃料電池ＦＣにおいて発電反応を行わせるように構成されている。水素含有ガス生成装置は、改質器２と、水蒸気発生器６と、改質制御手段１３ａとして機能する制御装置１３とを備える。加えて、図１に示す本実施形態の水素含有ガス生成装置は、脱硫器１と、一酸化炭素変成器３と、一酸化炭素除去器４と、燃焼器５を備える。
【００２１】
脱硫器１は、供給される原燃料（例えば都市ガス）などに付臭剤として含まれる硫黄化合物を脱硫処理する。
【００２２】
水蒸気発生器６は、供給される水を蒸発させて、改質器２に水蒸気を供給する。具体的には、水蒸気発生器６に隣接して設けられる熱交換器８には、燃焼器５から排出された燃焼排ガスが供給され、その燃焼排ガスが有する熱が水蒸気発生器６に伝達されて水の蒸発に利用される。水蒸気発生器６で生成された水蒸気は、脱硫処理後の原燃料に添加される。また、本実施形態の水素含有ガス生成装置は、水蒸気発生器６を加熱可能な電気ヒーターＨも備えている。つまり、水蒸気発生器６は、熱交換器８及び電気ヒーターＨの少なくとも何れか一方から得られる熱を利用して、供給される水を蒸発させるように構成されている。
【００２３】
燃焼器５は、可燃性ガスと酸素ガスとの混合ガスを燃焼して燃焼熱を発生させる。可燃性ガスとしては、燃料電池ＦＣから排出された排燃料ガス（発電反応に用いられなかった水素を含むガス）を用いることができる。
【００２４】
改質器２は、原燃料を水蒸気の存在下で改質処理して、水素を主成分とする水素含有ガスを生成する。具体的には、改質器２は、隣接して設けられる燃焼器５で発生された燃焼熱を利用して原燃料を水蒸気改質して、水素を主成分とし、副生成物としての一酸化炭素と二酸化炭素とを含む改質ガスを生成する。
【００２５】
一酸化炭素変成器３は、改質器２にて生成されたガスに含まれる一酸化炭素を低減するように処理する。具体的には、一酸化炭素変成器３において、改質器２で生成された改質ガス中に含まれている一酸化炭素と水蒸気とが反応して、一酸化炭素が二酸化炭素に変成処理される。
【００２６】
一酸化炭素除去器４は、一酸化炭素変成器３から排出される変成処理後の改質ガス中に残留している一酸化炭素を除去する。例えば、一酸化炭素除去器４において、変成処理後の改質ガス中に残っている一酸化炭素が、新たに添加された空気中の酸素によって酸化除去される。その結果、一酸化炭素濃度の非常に低い、水素リッチな燃料ガスが生成される。
一酸化炭素除去器４によって処理された後の改質ガスは、燃料電池ＦＣに供給されて発電反応に用いられる。
【００２７】
図１に例示する燃料電池システムにおいて、燃料電池ＦＣで発電された電力は、パワーコンディショナ９に供給されるように構成されている。
制御装置１３は、燃料電池システムに設けられている各種機器の動作を制御する。具体的には、制御装置１３の一機能である改質制御手段１３ａは、改質器２への原燃料の供給量と水蒸気発生器６への水の供給量とを制御する。改質器２への原燃料の供給量、即ち、脱硫器１への原燃料の供給量は、脱硫器１の上流側に設けられる流量調節手段としての原燃料流量調節弁１０によって調節可能である。また、改質器２には、水蒸気供給路を介して水蒸気が供給される。この水蒸気は水蒸気発生器６で発生されたものである。水蒸気発生器６には水供給路を介して水が供給される。水蒸気発生器６への水の供給量は、水蒸気発生器６の上流側に設けられる給水量調節手段としてのポンプ１１によって調節可能である。これら原燃料流量調節弁１０及びポンプ１１の動作は改質制御手段１３ａが制御する。
制御装置１３は、パワーコンディショナ９の動作、例えば、燃料電池ＦＣの出力電流を制御する。
【００２８】
水素含有ガス生成装置は、水蒸気発生器６と改質器２との間の流路途中に設けられて、水蒸気の流量を制限する流量制限手段７を備える。例えば、流量制限手段７としてオリフィスを用いることができる。他にも、開度を調節可能な弁によって水蒸気の流量を制限するような流量制限手段７を用いてもよい。
【００２９】
加えて、水素含有ガス生成装置は、水蒸気発生器６から改質器２に供給される水蒸気の量を推定可能な圧力値を、水蒸気発生器６に供給される水又は水蒸気発生器６で発生された水蒸気が流通する流路内で検出する圧力検出器１２を備える。本実施形態では、圧力検出器１２は、水蒸気発生器６よりも上流側、即ち、ポンプ１１と水蒸気発生器６との間に設けられている。圧力検出器１２をこの位置に設けることで、水蒸気発生器６での圧力が圧力検出器１２の検出結果に反映されることとなる。
【００３０】
更に、本実施形態において、圧力検出器１２は、流量制限手段７よりも上流側の、水蒸気発生器６に供給される水又は水蒸気発生器６で発生された水蒸気が流通する流路内の圧力を検出する位置に設けられている。この圧力検出器１２が設けられている位置は、水蒸気発生器６から改質器２へ流れる水蒸気の流量が流量制限手段７によって制限されることにより、検出される圧力値が、流量制限手段７よりも上流側の水蒸気発生器６で発生した水蒸気による圧力をより良く代表することとなる位置である。その結果、改質制御手段１３ａは、圧力検出器１２が検出する圧力値に基づいて、水蒸気発生器６から改質器２に供給される水蒸気の量を更に高い精度で知ることができる。
【００３１】
また、圧力検出器１２による検出結果の精度を更に高めるために、温度検出器１４の検出結果を用いることもできる。具体的には、本実施形態の水素含有ガス生成装置は、圧力検出器１２が圧力値を検出する部位での温度を検出する温度検出器１４を備え、改質制御手段１３ａは、温度検出器１４の検出結果に基づいて、圧力検出器１２の検出結果を補正換算する。尚、どのような補正演算式を用いて、圧力検出器１２の検出結果を温度で補正するのかは適宜設定可能である。
【００３２】
本実施形態では、改質制御手段１３ａは、改質器２での水素含有ガスの生成量を増加させるために改質器２への原燃料の供給量と水蒸気発生器６への水の供給量とを共に増加変化させるとき、改質器２への原燃料の供給量を増加変化させる時点よりも前に水蒸気発生器６への水の供給量を増加変化させる。特に、改質制御手段１３ａは、改質器２での水素含有ガスの生成量を増加させるとき、水蒸気発生器６への水の供給量を増加変化させた後の圧力検出器１２の検出結果に基づいて、改質器２への原燃料の供給量を増加変化させるタイミングを決定する。
【００３３】
図２は、改質器２での水素含有ガスの生成量を増加させるときの各機器の動作状態の推移を説明するタイミング図である。具体的には、燃料電池ＦＣの出力上昇指令が発生した後での、ポンプ１１によって調節される「水蒸気発生器６への水の供給量」、「圧力検出器１２の検出値」、原燃料流量調節弁１０によって調節される「脱硫器１への原燃料の供給量」、パワーコンディショナ９によって調節される「燃料電池ＦＣの出力電流」の推移を示す。
以下、図１及び図２を参照して、水素含有ガス生成装置において行われる水素含有ガス生成量調節方法について説明する。
【００３４】
図２に示す時刻ｔ０において燃料電池ＦＣの出力上昇指令が発生したとき、制御装置１３の改質制御手段１３ａは、時刻ｔ０以後に、改質器２での水素含有ガスの生成量を目標生成量へと増加させるために、改質器２への原燃料の供給量を目標原燃料量へと増加変化させ、水蒸気発生器６への水の供給量を目標水量へと増加変化させるような制御を行う。但し、時刻ｔ０において改質制御手段１３ａは、改質器２への原燃料の供給量を目標原燃料量へと増加変化させることなく、先ず、水蒸気発生器６への水の供給量を目標水量へと増加変化させ始め、時刻ｔ２において水蒸気発生器６への水の供給量を目標水量まで増加変化させる調節を完了する。
【００３５】
また、時刻ｔ０において水蒸気発生器６への水の供給量が増加し始めると、一定の時間遅れをもって水蒸気発生器６での水蒸気の生成量も増加し始めるため、時刻ｔ１において圧力検出器１２で検出される圧力値も上昇し始める。そして、時刻ｔ３において、圧力検出器１２で検出される圧力値は、上記目標水量に対応した目標圧力値となる。図３は、目標水量と目標圧力値との関係を示すグラフ、即ち、水蒸気発生器６に対して目標水量の水を供給して、その目標水量の水が全て蒸発されたとき、圧力検出器１２で検出される圧力値がどれだけになるのかを示すグラフである。つまり、目標水量に増加変化させた後、圧力検出器１２で検出される圧力値が図３に示された目標圧力値になると、その目標水量の水が全て蒸発されて、改質器２へ目標水蒸気量の水蒸気が供給されていると見なすことができる。本実施形態では、図３に示したような目標水量と目標圧力値との関係が、制御装置１３に内蔵される記憶部又は制御装置１３が読み出し可能な記憶装置に予め記憶されており、制御装置１３の改質制御手段１３ａが目標水量と目標圧力値との関係を適宜読み出すものとする。
【００３６】
時刻ｔ３において制御装置１３の改質制御手段１３ａは、水蒸気発生器６への水の供給量を目標水量へと増加させた後の圧力検出器１２の検出値が、その目標水量に対応した目標圧力値になると、脱硫器１への原燃料の供給量を目標原燃料量へと増加変化させる。その結果、改質器２に供給される原燃料中のカーボンに対する水蒸気の当量比（Ｓ／Ｃ）を適切な範囲に保った状態で、原燃料の水蒸気改質が行なわれるようになる。これにより、改質器２でのコーキングの発生や、水蒸気不足によって、改質処理により得られる水素ガス中のＣＯの濃度が上昇するなどの問題の発生を抑制できる。
【００３７】
また、時刻ｔ３において制御装置１３は、脱硫器１への原燃料の供給量の増加変化と合わせて、燃料電池ＦＣの出力電流をパワーコンディショナ９の動作を制御して目標電流値へと増加変化させる。
【００３８】
以上のように、本実施形態では、圧力検出器１２が、水蒸気発生器６から改質器２に供給される水蒸気の量を推定可能な圧力値を、水蒸気発生器６に供給される水又は水蒸気発生器６で発生された水蒸気が流通する流路内で検出する。つまり、制御装置１３の改質制御手段１３ａは、圧力検出器１２が検出する圧力値に基づいて、水蒸気発生器６から改質器２に供給される水蒸気の量を高い精度で知ることができる。その結果、改質制御手段１３ａは、改質器２に供給される原燃料の量と水蒸気の量とが適切な当量比（Ｓ／Ｃ）となるように制御できる。
【００３９】
＜別実施形態＞
上記実施形態では、本発明に係る水素含有ガス生成装置が設けられる燃料電池システムの構成について具体例を挙げて説明したが、その燃料電池システムの構成は適宜変更可能である。例えば、上記実施形態では、水蒸気発生器６を加熱するために熱交換器８及び電気ヒーターＨを設けた構成を説明したが、電気ヒーターＨを設けない構成であってもよい。また、上記実施形態では、燃料電池ＦＣから排出された排燃料ガスを燃焼器５に供給して燃焼させる構成を説明したが、燃焼器５に上記原燃料として用いる都市ガスなどの他の可燃性ガスを供給して燃焼させるような構成変更を行ってもよい。
他にも、圧力検出器１２や温度検出器１４の設置位置を変更するような構成変更、流量制限手段７や温度検出器１４を設けないような構成変更などを行ってもよい。
【産業上の利用可能性】
【００４０】
本発明は、改質器での水蒸気不足の発生を回避可能な水素含有ガス生成装置及び水素含有ガス生成量調節方法に利用できる。
【符号の説明】
【００４１】
２  改質器
６  水蒸気発生器
７  流量制限手段
１０  原燃料流量調節弁（流量調節手段）
１１  ポンプ（給水量調節手段）
１２  圧力検出器
１３ａ  改質制御手段
１４  温度検出器
【図１】
2014047083.tif 000003
【図２】
2014047083.tif 000004
【図３】
2014047083.tif 000005